(57)【要約】      （修正有）【課題】異なる照明負荷を容易に制御する。【解決手段】交流電力線１に電力線搬送通信装置２を介してＤＭＸ調光制御装置３を接続し、照明装置４の照明負荷４０に対してＤＭＸ調光制御装置３から送られるＤＭＸ制御信号を交流電力線１から受信する電力線搬送通信装置６０と、ＤＭＸ制御信号により交流電力線１から供給される交流電力の照明負荷４０への電力の制御を行う調光電源回路６１を備えた第１の移動型調光ユニット６と、照明装置５の照明負荷５０に対してＤＭＸ調光制御装置３から送られるＤＭＸ制御信号を交流電力線１から受信する電力線搬送通信装置７０と、交流電力線１から供給される交流電力を直流に変換する直流変換回路７１と、ＤＭＸ制御信号により直流変換回路７１の出力から供給される直流電力の照明負荷５０へのオンオフ制御を行う調光電源回路７２を備えた第２の移動型調光ユニット７とを備えた。【選択図】図１
2014229410.tif 000002
【特許請求の範囲】
【請求項１】
交流電力線により電力を供給され照明を行う交流動作の照明負荷及び直流動作の照明負荷からなる照明装置を備え、ＤＭＸ制御信号により調光制御される照明システムであって、
前記交流電力線には、電力線搬送通信装置を介してＤＭＸ調光制御装置が接続され、
前記照明装置の交流動作の照明負荷に対して前記ＤＭＸ調光制御装置から送られるＤＭＸ制御信号を前記交流電力線から受信する受信手段と、前記ＤＭＸ制御信号により前記交流電力線から供給される交流電力の前記照明負荷への電力の制御を行う調光電源回路を備えた第１の移動型調光ユニットと、
前記照明装置の直流動作の照明負荷に対して前記ＤＭＸ調光制御装置から送られるＤＭＸ制御信号を前記交流電力線から受信する受信手段と、前記交流電力線から供給される交流電力を直流に変換する直流変換回路と、前記ＤＭＸ制御信号により前記直流変換回路の出力から供給される直流電力の前記照明負荷へのオンオフ制御を行う調光電源回路を備えた第２の移動型調光ユニットと、
を備えていることを特徴とする照明システム。
【発明の詳細な説明】
【技術分野】
【０００１】
本発明は、異なる照明負荷に対する制御を行う照明システムに関する。
【背景技術】
【０００２】
異なる照明負荷に対する制御を行う照明システムは、特許文献１に記載のように、ハロゲンランプを使用した照明装置を接続する調光ユニットでは、調光電源回路に切り換え、調光回路で制御した調光電源をハロゲンランプに供給し、ＬＥＤを使用した照明装置を接続する調光ユニットでは、非調光電源回路に切り換え、非調光電源をＬＥＤに供給すると共に、非調光電源に調光制御用の信号を電力線搬送通信方式にて入力するものが知られている。
【先行技術文献】
【特許文献】
【０００３】
【特許文献１】特開２０１１−１９２４８１号公報
【発明の概要】
【発明が解決しようとする課題】
【０００４】
しかしながら、特許文献１の従来技術では、使用する照明装置に応じて調光電源回路と非調光電源回路とを切替手段により切り替えるものであるため、切り替えるための制御や操作が煩雑になってしまうという問題があった。
【０００５】
特に、照明装置が舞台やテレビスタジオ等の演出照明に使用されるものである場合、演出照明のタイミングの調整等が難しくなるという問題があった。
【０００６】
本発明は、このような問題に対処することを課題の一例とするものである。すなわち、異なる照明負荷に対する制御を容易に行うことができることが本発明の目的である。
【課題を解決するための手段】
【０００７】
このような目的を達成するために、本発明による照明システムは、以下の構成を少なくとも具備するものである。
【０００８】
交流電力線により電力を供給され照明を行う交流動作の照明負荷及び直流動作の照明負荷からなる照明装置を備え、ＤＭＸ制御信号により調光制御される照明システムであって、前記電力線には、電力線搬送通信装置を介してＤＭＸ調光制御装置が接続され、前記照明装置の交流動作の照明負荷に対して前記ＤＭＸ調光制御装置から送られるＤＭＸ制御信号を前記交流電力線から受信する受信手段と、前記ＤＭＸ制御信号により前記交流電力線から供給される交流電力の前記照明負荷への電力の位相制御を行う調光電源回路を備えた第１の移動型調光ユニットと、前記照明装置の直流動作の照明負荷に対して前記ＤＭＸ調光制御装置から送られるＤＭＸ制御信号を前記交流電力線から受信する受信手段と、前記交流電力線から供給される交流電力を直流に変換する直流変換回路と、前記調光制御信号により前記直流変換回路の出力から供給される直流電力の前記照明負荷へのオンオフ制御を行う調光電源回路を備えた第２の移動型調光ユニットとを備えていることを特徴とする照明システムである。
【図面の簡単な説明】
【０００９】
【図１】本発明の実施形態に係る照明システムの概略構成図である。
【発明を実施するための形態】
【００１０】
以下、本発明の実施形態に係る照明システムの実施形態の一例を図面に基づいて説明する。尚、以下で説明する実施形態は、本発明を限定するものではない。
【００１１】
照明システムＡは、分電盤１０に接続されて交流電力を送電する交流電力線１と、交流電力線１に接続された電力線搬送通信装置２と、電力線搬送通信装置２に接続されたＤＭＸ調光制御装置３と、交流電力線１により電力を供給され照明を行う交流動作の照明負荷４０からなる照明装置４…４と、直流動作の照明負荷５０からなる照明装置５…５と、ＤＭＸ制御信号により照明装置４を調光制御する第１の移動型調光ユニット６…６と、ＤＭＸ制御信号により照明装置５…５を調光制御する第２の移動型調光ユニット７…７とを備えている。
【００１２】
尚、同符号により複数図示された照明装置４…４、照明装置５…５、移動型調光ユニット６…６、移動型調光ユニット７…７は、夫々、同構造のものであるので、以下では、夫々一つの構成を図示して説明する。
【００１３】
電力線搬送通信装置２は、ＤＭＸ調光制御装置３から発信されるＤＭＸ制御信号を交流電力線１に重畳させるようになっている。ＤＭＸ調光制御装置３は、目的の調光が行えるデータをＤＭＸ制御信号として発信するようになっている。
【００１４】
照明装置４の照明負荷４０は、交流電力によって動作するハロゲンランプであり、照明装置５の照明負荷５０は、直流電力によって動作するＬＥＤランプである。
【００１５】
移動型調光ユニット６は、受信手段（以下、受信手段の一例として電力線搬送通信装置という）６０と、調光電源回路６１とを備えている。
【００１６】
電力線搬送通信装置６０は、交流電力線１に、照明装置４の照明負荷４０を制御するための、交流電力線１に重畳されたＤＭＸ制御信号を受信できるように接続されている。
【００１７】
調光電源回路６１は、交流電力線１に接続され、電力線搬送通信装置６０にＤＭＸ制御信号を受信できるように接続されており、ＤＭＸ制御信号により交流電力線１から供給される交流電力の照明負荷４０への電力の位相制御を行うものである。この交流電力の調光電源回路６１としては、交流電力の位相制御に限らず、交流電力のパルス幅変調制御であっても良い
【００１８】
また、調光電源回路６１には、交流動作の照明負荷４０が接続されており、この照明負荷４０に対して位相制御された電力を供給することで、照明負荷４０の調光制御を行うことができるようになっている。
【００１９】
移動型調光ユニット７は、受信手段（以下、受信手段の一例として電力線搬送通信装置という）７０と、直流変換回路７１と、調光電源回路７２とを備えている。
【００２０】
電力線搬送通信装置７０は、交流電力線１に、照明装置５の照明負荷５０を制御するための、交流電力線１に重畳されたＤＭＸ制御信号を受信できるように接続されている。
【００２１】
直流変換回路７１は、交流電力線１から供給される交流電力を整流し、整流された直流を平滑して直流電力として供給する。この直流電力を調光電源回路７２に供給するように交流電力線１と調光電源回路７２とにわたるように接続されている。
【００２２】
調光電源回路７２は、直流変換回路７１の出力から供給される直流電力の照明負荷５０への直流電圧を変えずにオンオフ制御（例えば、ＰＷＮ制御）を視覚で関知できない速さで行うものであり、電力線搬送通信装置７０と直流変換回路７１に接続されている。
【００２３】
また、調光電源回路７２には、直流動作の照明負荷５０が接続されており、この照明負荷５０に対して供給される電力をオンオフ制御することで、照明負荷５０の調光制御を行うことができるようになっている。
【００２４】
このような、照明システムＡは、ＤＭＸ調光制御装置３の操作により、交流電力線１に、電力線搬送通信装置２を介して、交流動作の照明負荷４０及び直流動作の照明負荷５０を夫々制御するＤＭＸ制御信号を重畳する。
【００２５】
このＤＭＸ制御信号には、交流動作の照明負荷４０を制御する信号及び直流動作の照明負荷５０を制御する信号の他、電力線搬送通信装置６０及び電力線搬送通信装置７０を夫々特定する番号やアドレスに対応する特定信号が含まれており、この特定信号に基づいて、対応する番号やアドレスが付与された電力線搬送通信装置６０及び電力線搬送通信装置７０がＤＭＸ制御信号を受信できるようになっている。
【００２６】
交流電力線１に重畳されたＤＭＸ制御信号は、電力線搬送通信装置６０又は電力線搬送通信装置７０に受信される。
【００２７】
移動型調光ユニット６側では、前述の特定信号に基づいて受信したＤＭＸ制御信号に基づいて、調光電源回路６１が電力の制御（例えば、位相制御）を行うと共に、照明負荷４０に対して位相制御された電力を供給することで、交流動作の照明負荷４０が調光制御される。
【００２８】
移動型調光ユニット７側では、直流変換回路７１が交流電力線１から供給された交流電力を直流電力に変換し、前述の特定信号に基づいて調光電源回路７２が受信したＤＭＸ制御信号に基づいて、照明負荷５０に対して直流電力をオンオフ制御して供給することで、直流動作の照明負荷５０が調光制御される。
【００２９】
すなわち、この照明システムＡは、交流電力によって動作する照明負荷４０及び直流電力で動作する照明負荷５０を制御することができる。
【００３０】
しかも、照明負荷４０、５０の制御時において、人為的に配線を切り替える操作や制御を行うことなく、照明負荷４０、５０の制御を行うことができる。
【００３１】
その上、照明負荷４０、５０を切り替え制御するものでないので、照明負荷４０、５０を同時に動作させる制御も行うことができる。
【００３２】
更に、交流電力線１に電力線搬送通信装置２を介してＤＭＸ調光制御装置３を接続すると共に、移動型調光ユニット６、７を接続するという比較的簡単な構成によって、照明システムＡを構築することができるので、照明システムＡの小型化や製造コストの低減が期待できる。
【００３３】
したがって、異なる照明負荷４０、５０を容易に制御することができると共に、設置作業や搬送作業が容易に行える照明システムＡを安価に提供することができる。
【符号の説明】
【００３４】
Ａ：照明システム
１：交流電力線
２：電力線搬送通信装置
３：ＤＭＸ調光制御装置
４：照明装置
４０：照明負荷
５：照明装置
５０：照明負荷
６：移動型調光ユニット
６０：電力線搬送通信装置（受信手段）
６１：調光電源回路
７：移動型調光ユニット
７０：電力線搬送通信装置（受信手段）
７１：直流変換回路
７２：調光電源回路
【図１】
2014229410.tif 000003